(57)【要約】【課題】  遠赤外線輻射効果及びマイナスイオン効果を発揮すると共に、顔肌自体を効果的に活性化させることができ、しかも肌面への高い密着性を有する美顔用トリートメントマスクを提供する。【解決手段】  顔全体を被覆し、目、鼻及び口部分に開口部２を有する美顔用トリートメントマスク１であって、人の顔面形状に合わせて立体的に成形されたシリコンゴム基材製のマスクベース中に、少なくとも天然に産出する温泉成分の結晶である温泉鉱泥、酸化鉄成分、水溶性ケイ素粉末、トルマリン粉末及び炭素粉末を分散して含有させる。【選択図】  図１
0003197441.tif 000002
【実用新案登録請求の範囲】
【請求項１】
顔全体を被覆し、目、鼻及び口部分に開口部を有する美顔用トリートメントマスクであって、人の顔面形状に合わせて立体的に成形されたシリコンゴム基材製のマスクベース中に、少なくとも天然に産出する温泉成分の結晶である温泉鉱泥、酸化鉄成分、水溶性ケイ素粉末、トルマリン粉末及び炭素粉末を分散して含有させたことを特徴とする美顔用トリートメントマスク。
【考案の詳細な説明】
【技術分野】
【０００１】
本考案は、人の顔全面に被せて使用する美顔用トリートメントマスクに関し、とくに、遠赤外線効果・マイナスイオン効果等を発揮するようにした美顔用トリートメントマスクに関するものである。
【背景技術】
【０００２】
従来の美顔方法として、例えば、顔面に美溶液を塗布したり、パック剤を塗布してパックする方法等がある。しかしながら、美溶液は、その有効成分のほとんどが皮膚内部まで浸透することがなく、さほど高い美顔効果は期待できない。また、パック剤は皮膚表面の汚れは除去できるものの皮膚自体を活性化させるような高い美顔効果は期待できない。
【０００３】
そこで、美顔用具として、例えば、次のような先行技術がある。二層構造の顔面用マスク体であって、一層目には遠赤外線を放射するセラミックを含んだ綿布部材を、二層目にはマグネット成分を含んだラバー部材を配置する構成のもの（特許文献１参照。）。スズ板又はアルミニューム板の非鉄金属材からなる成形体を用いた顔面パックであって、遠赤外線波が利用された遠赤外線応用顔面パック（特許文献２参照。）。人の顔面にフィットするベースと、このベースに設けられた人の顔面を覆う磁気体面を備えた美顔用の顔面マスク（特許文献３参照。）。顔全体になじむように軟らかいＰＶＣ、ナイロン素材で形成された袋状体により、目・鼻・口部に穴をあけ、額から顎まで顔全体を覆う形状で、この袋状体の中に保温冷ジェル又は酢酸Ｎａ水溶液を封入したもの（特許文献４参照。）。顔全面を被覆し、目、鼻、口部分に開口部を有する美容用フェイスマスクであって、１枚のシート材からなり、マチが形成されるように部分的に接合され顔面を覆うように立体的に構成されており、接合部に、筒状又は袋状に成形された保液部を設けたもの（特許文献５参照。）等、種々提案されている。
【先行技術文献】
【特許文献】
【０００４】
【特許文献１】実用新案登録第３０１３３９３号公報
【特許文献２】実開平７−２７４１１号公報
【特許文献３】特開２０００−１４８０７号公報
【特許文献４】実用新案登録第３１７３０７８号公報
【特許文献５】特開２０１１−１３６０７３号公報
【考案の概要】
【考案が解決しようとする課題】
【０００５】
これらは、何れも美顔用のマスクであり、顔面に装着するだけで美容効果があることを謳っているものの、例えば、遠赤外線を放射するセラミックを含んだものでは、十分な遠赤外線輻射効果が得られないばかりか、それ以外の特段の美容効果も得られないものであった。また、美容液等を収納する袋状部を持つものは構造が複雑になる。
本考案は、上記のような従来技術の課題に鑑み、より充分な遠赤外線輻射効果及びマイナスイオン効果を発揮すると共に、顔肌自体を効果的に活性化させることができ、しかも肌面への高い密着性を有する美顔用トリートメントマスクを提供することを目的とする。
【課題を解決するための手段】
【０００６】
そこで本考案の美顔用トリートメントマスクは、顔全体を被覆し、目、鼻及び口部分に開口部を有する美顔用トリートメントマスクであって、人の顔面形状に合わせて立体的に成形されたシリコンゴム基材製のマスクベース中に、少なくとも天然に産出する温泉成分の結晶である温泉鉱泥、酸化鉄成分、水溶性ケイ素粉末、トルマリン粉末及び炭素粉末を分散して含有させたことを特徴とする。
【０００７】
ケイ素は、人体の結合組織（骨や血管、皮膚、毛髪、歯、爪など）に多く含まれているミネラルであり、以下の効能がある。
（１）新陳代謝を活性化
（２）デドックス効果
（３）強い血管を作り、傷ついた血管を修復する。
（４）細胞の結合組織であるコラーゲンを作り出す。
（５）骨細胞を作り出す。
（６）強力な抗酸化力により、病気を根本から治癒する。
【０００８】
本考案で使用する水溶性ケイ素（珪酸塩）とは、純度９９％のシリカ（水晶石）を、約２０００℃の高温で８時間以上かけて濃縮溶解させ、ガス化したケイ素成分を回収し、不要物質を燃焼処理して抽出した水溶性の結晶である。水溶性ケイ素の化学式はＮａ２ＳｉＯ３−１０Ｈ２Ｏで、その成分は完全に水に溶解する。
【考案の効果】
【０００９】
本考案の美顔用トリートメントマスクは、充分な遠赤外線輻射効果及びマイナスイオン効果を発揮することにより、発汗・老廃物排出・血行等の促進、細胞の活性化等の作用が得られ、良好な美顔効果を得ることができる。
【図面の簡単な説明】
【００１０】
【図１】本考案に係る美顔用トリートメントマスクを示す斜視図である。
【考案を実施するための形態】
【００１１】
本考案に係る美顔用トリートメントマスクの製造方法は、概略以下のとおりである。まず、温泉鉱泥、水溶性ケイ素（Ｎａ２ＳｉＯ３−１０Ｈ２Ｏ）、酸化第二鉄（Ｆｅ２Ｏ３）セラミック粉体、カオリナイトを混合し、よく練り合せ、一定温度に加熱した後、粉砕する。こうして得られた複合セラミックに、更に炭素成分及びトルマリン等（遠赤外線・マイナスイオンを発生させ一般に電気石と称される鉱石）の微粉末を加えてシリコンゴム基材中に投入し、攪拌して均一に分散させ、この混合物をシートに成形して表面の脱泡作業を行った後、加熱してゲル化させる。
これにより、酸化鉄セラミックの持つ遠赤外線放射及びトルマリン等の遠赤外線放射・マイナスイオン発生効果と共に、水溶性ケイ素の抗酸化効果及び温泉鉱泥から生ずる温泉効果を利用して、人体における血行を高め、新陳代謝を活発化させることにより、美容効果をもたらすシートが得られるものである。
【００１２】
以下、詳細に説明する。
温泉鉱泥とは、例えば、大分県別府市の山間部は、温泉の噴気（ガス）が自噴している。このガスを導いて、均等に敷き詰めた栗石の間を通すと、ガスはその圧力により上記栗石の間を上昇する。この栗石の上方に、この地方特有のモンモリロナイトを主体とする「青粘度」を作用させると、ガスは粘土中の粒子の間を毛細管現象によりゆるやかに上昇する。そして、この上昇の間に、ガスの主成分である硫気ガス（ＳＯ２）の一部は硫酸に変わる。さらに、この硫酸が下方からの圧力により上昇する間に、粘土中のアルミニウムや鉄等の鉱物質を溶解しつつ表面に至る。表面では、水分は蒸発し、金属硫化物を多量に含んだ硫酸礬土が結晶状態で得られる。この結晶を外気から守るため、例えば、藁屋根のサシカケ小屋が用いられる。
【００１３】
上述のごとく、粘土に温泉ガスを作用させて３０〜６０日程度が経過すると、硫酸礬土は粘土の表面上５〜６ｃｍ程度に成長する。これを適宜の道具で掻き取り原料とする。尚、青粘土は、２〜３回の使用が限度であり交換する必要がある。硫酸礬土の収穫作業は粘土を交換しては繰り返される。
上述のごとき作業により得られた硫酸礬土を、ほぼ同量の温泉水中に分散させ、混合・攪拌した上で、鉱泥を沈澱させ、濾過して、１００〜１２０メッシュ程度の温泉鉱泥を得る。この温泉鉱泥の成分は、おおよそ以下のとおりである。
水分                        ４４％
固形分                      ５６％
また、固形分の内訳は、例えば、以下のとおりである。
鉄分                        ３８．１１％
アルミニウム                １３．２５％
硫酸                          ６．２８％
【００１４】
微量金属等の含有量については、例えば、以下のとおりである。
ゲルマニウム                ９７．９３ｐｐｍ
銅                          ２３．５３ｐｐｍ
マンガン                  １０４．６２ｐｐｍ
金                            ６．３８ｐｐｍ
亜鉛                        ７０．５９ｐｐｍ
砒素                        ５８．４６ｐｐｍ
鉛                          ２５．２６ｐｐｍ
尚、上述のごとき成分を含有する温泉鉱泥を約１０００倍の水に分散させて入浴に用いれば、皮膚障害及び血行の促進等の効能を有するものである。
【００１５】
本題に戻って、本実施例に係る美顔用トリートメンマスクの製造方法は、以下のとおりである。尚、以下の説明では、１製造単位としての５５０ｍｍ×１３００ｍｍサイズのシート１枚を製造する際のスケールで説明する。
まず、別途用意した、１０００℃程度の高温中に３時間置きセラミック化した、化粧品原材料基準に記載されているベンガラ（主成分は三二酸化鉄）と、同じく化粧品原材料基準に記載されているカオリン（含珪酸アルミニウム）とを、上述のごとき成分を含有する温泉鉱泥と水溶性ケイ素を水で溶かしたものとをほぼ同量ずつ混合し、よく練り合わせた後、自然乾燥させる。
その後、上記混合物を約５３０℃程度の温度で３時間焼成する。この工程を経ることにより、上記鉱泥中に含まれていた砒素の量を健康基準に規定される１ｍｇ／ｋｇ以下とすることができる。こうして得られた物質（以下、温泉鉱泥セラミックという）を粉砕して１２０メッシュ以上の微粉末とする。
【００１６】
さらに、上述の微粉末化した水溶性ケイ素と温泉鉱泥セラミックの混合物１０ｇと、トルマリン等の微粉末５ｇ、カーボン粉末５ｇを加えて練成し、これに更に、二液型ゴムシリコン用希釈剤３０ｇ及び硬化剤２５ｇを加え、２５ｇの希釈剤を加えて適度の濃度に調整する。その後、本品の主剤となるゴムシリコンを２５０ｇ投入し、全体を均一に混合する。尚、ここでいう二液型ゴムシリコンとは、主剤と硬化剤を混合し、加熱し硬化させるタイプのシリコン剤であり、例えば、信越化学工業株式会社製でＫＥ・ＫＦシリーズとして製品化されているもの等がある。
【００１７】
こうして混合された原料を約１０分間程度寝かせた後、立体顔面形状の成形型に流し込み、シート表面に浮かび出てくる大き目の気泡の脱泡作業を行う。この脱泡作業は、気泡残留によるシートの破損を防ぐため、ドライヤー等でシート表面に風を送り、風圧を加えて気泡を潰すという強制脱泡により行われ、これによりシートの表面が滑らかに整えられる。その後シートを１３０℃で２０分間加熱しゲル化させた後型からはずし、図１に示すような、目、鼻、口部分に開口部２を持つ美顔用トリートメントマスク１を得る。尚、図中３は、耳掛け用のシリコン製の紐である。
【００１８】
本考案に係る美顔用トリートメントマスクには、水溶性ケイ素及び温泉鉱泥セラミック成分が高濃度に分布している。
尚、シリコンゴムについては、通常、硫化物を含んだものの硬化は困難とされているが、本考案に係る美顔用トリートメントマスクの製造方法においては、接着用シリコンと非接着用シリコンの混合及び加熱条件を１１０℃から１６０℃で２５分間乃至１７分間程度加熱するよう工夫したことにより、前述のごとき内容物を含む二液型ゴムシリコンの硬化に成功したものである。
【００１９】
また、ここで得られた製品については、上述の接着用シリコンと非接着用シリコンの混合及び加熱条件の工夫により、柔軟性に富み、人の皮膚に適度になじみ易く、不用意に剥がれ落ちることがないという物理的特徴を有する。さらに、ここで得られた製品については、独特の臭気により、温泉鉱泥中に含有されていた硫化物が、シリコンゴム成形品の微細な孔を通して滲み出ることが確認できる。また、本製品を、ｐＨ７の水道水に浸すと４時間経過程度でｐＨが０．１〜０．１５程、酸性側に動くことからもこれが裏付けられる。また、これらの製品の自然放置状態での帯電量は３キロボルトから５キロボルトであることが実験により確認されている。
【００２０】
また、上述の製品１ｃｍ２当りの温泉鉱泥、ベンガラ及びカーボン含有量は、それぞれ、０．００１５ｇ、０．０００７ｇ及び０．０００７ｇとなっている。この数値は、前述の温泉鉱泥２０ｇを２００リットルの水に溶解した場合に比較して、約１０倍の濃度になる計算であり、シリコンゴム中に封入されているとはいえ、その温泉効果が充分に期待できる。
【００２１】
これにより、本考案に係る美顔用トリートメントマスクは、遠赤外線放射効果に加えて、炭素成分がこの効果を増加させ、トルマリンによる電気的刺激がこれに加わると共に、さらに、水溶性ケイ素が皮膚の新陳代謝を促し、温泉鉱泥中の温泉成分が皮膚を刺激して血行・保湿効果を促進するという相乗作用的な効果を生ずるものである。
【００２２】
また、マスク本体は、シリコンゴムやウレタン等の可撓性を有する材料で顔面の凹凸形状に合わせて立体的に成形されており、顔面に装着したときにパック内面のほぼ全面が顔肌に密着するようになる。マスクは顔面の大きさや形状（個人差）に応じて数種類の大きさ・形状のものを形成することができる、顔面に装着したときにマスク内面のほぼ全面が顔肌に密着するようになり、フィット感が良好となる。さらに、内面にジェル状の化粧水等を塗布することでフィット感が増し相乗効果が期待できる。
【００２３】
本考案のシリコンマスクを使用した場合の顔皮膚表面の温熱効果を確認するため、使用前後の時間経過による温度変化をサーモグラフィーにより測定した。
測定環境：室温２０℃  湿度４０％
測定機器：サーモトレーサーＴＨ３１００ＭＲ型（商品名：ＮＥＣ三栄株式会社製）
測  定：健常な青年女子（５４歳）を被験者とし、先ず、室温２０℃、湿度４３％の環境にて２０分間にわたり生体を環境雰囲気に慣らした後、使用前の顔の皮膚表面温度をサーモグラフィーにより測定した。次いで、シリコンマスクを顔面に装着し、２０分間使用後の皮膚表面温度をサーモグラフィーにより測定した。結果を表１に示す。
【００２４】
【表１】
0003197441.tif 000003
温度分布画像より求めた顔の皮膚表面温度を表１に示す。
表１から分かるように、シリコンマスク使用後の顔面の平均温度は１．１℃上昇し、温熱特性が優れていると言える。
【産業上の利用可能性】
【００２５】
本考案は、皮膚密着性が良好で誰でも短時間のうちに場所を選ばず手軽に保湿・トリートメント効果及び遠赤外線・マイナスイオン効果の高い美顔パックが行えるため、高価な美容用機械器具や特別な技術を用いることなく、しかも使用後に顔面の洗浄を行ったりパックの剥離に手間をかける事もないので、美顔用トリートメントマスクとして、エステティックサロンや美容院で美顔施術に用いられるほか、一般家庭等の広汎な需要者層を期待することができる。
【符号の説明】
【００２６】
１    美顔用トリートメントマスク本体
２    開口部
３    耳掛け
【図１】
0003197441.tif 000004